(57)【特許請求の範囲】
【請求項１】
コンポーネント映像信号の輝度信号成分から、後述するノイズ検出器の第１の出力を減ずる第１の減算器と、
前記第１の減算器の出力を１フレーム期間蓄積する第１のフレームメモリと、
前記輝度信号成分から前記第１のフレームメモリの出力を減ずる第２の減算器と、
前記第１の減算器の出力に対して所定の周波数成分を抽出する第１のフィルタ器と、
前記第２の減算器の出力に対して所定の周波数成分を抽出する第２のフィルタ器と、
ドット妨害，及び時間軸ノイズのいずれのノイズを除去するかの指定を外部から入力するための指定入力手段と、
前記第１のフィルタ器、前記第２のフィルタ器、前記第２の減算器の各出力、および前記指定入力手段により入力されたドット妨害，及び時間軸ノイズのいずれのノイズを除去するかの指定とを入力とし、ドット妨害の除去の指定時には、第２のフィルタ器，及び前記第１のフィルタ器の各出力に基づいて第３の出力を決定，出力し、時間軸ノイズの除去の指定時には、第２の減算器の出力に応じて第１の出力を決定，出力するノイズ検出器と、
前記ノイズ検出器の第３の出力を前記第１の減算器の出力から減ずる第５の減算器とを備えた、
ことを特徴とする映像信号処理装置。
【請求項２】
コンポーネント映像信号の輝度信号成分から、後述するノイズ検出器の第１の出力を減ずる第１の減算器と、
前記第１の減算器の出力を１フレーム期間蓄積する第１のフレームメモリと、
前記輝度信号成分から前記第１のフレームメモリの出力を減ずる第２の減算器と、
前記第１の減算器の出力に対して所定の周波数成分を抽出する第１のフィルタ器と、
前記第２の減算器の出力に対して所定の周波数成分を抽出する第２のフィルタ器と、
コンポーネント映像信号の色差信号成分から、後述するノイズ検出器の第２の出力を減ずる第３の減算器と、
前記第３の減算器の出力を１フレーム期間蓄積する第２のフレームメモリと、
前記色差信号成分から前記第２のフレームメモリの出力を減ずる第４の減算器と、
ドット妨害，クロスカラー，及び時間軸ノイズのいずれのノイズを除去するかの指定を外部から入力するための指定入力手段と、
前記第１のフィルタ器、前記第２のフィルタ器、前記第２の減算器、前記第４の減算器の各出力、および前記指定入力手段により入力されたドット妨害，クロスカラー，及び時間軸ノイズのいずれのノイズを除去するかの指定とを入力とし、ドット妨害の除去の指定時には、第２のフィルタ器，及び前記第１のフィルタ器の各出力に基づいて第３の出力を決定，出力し、クロスカラーの除去の指定時には、前記第１のフィルタ器，前記第２の減算器，及び前記第４の減算器の各出力に基づいて第２の出力を決定，出力し、時間軸ノイズの除去の指定時には、第２の減算器の出力に応じて第１の出力を決定，出力し、第４の減算器の出力に応じて第２の出力を決定，出力するノイズ検出器と、
前記ノイズ検出器の第３の出力を前記第１の減算器の出力から減ずる第５の減算器とを備えた、
ことを特徴とする映像信号処理装置。
【発明の詳細な説明】
【０００１】
【発明の属する技術分野】
本発明は、Ｙ／Ｃ分離後のコンポーネント映像信号に対して、ドット妨害やクロスカラーの除去を施す映像信号処理方法および映像信号処理装置に関する。
【０００２】
【従来の技術】
コンポジット映像信号に対してＹ／Ｃ分離を施した場合、ドット妨害（またはクロスルミナンス妨害とも言う）やクロスカラーといった弊害が発生する。Ｙ／Ｃ分離には、大きく３通りの方法があり、それぞれ、１次元Ｙ／Ｃ分離、２次元Ｙ／Ｃ分離、３次元Ｙ／Ｃ分離と呼ばれる。ここで例として、２次元Ｙ／Ｃ分離の３次元周波数特性を図１７に示す。図１７は、ＮＴＳＣ信号を３次元周波数空間で表現したものである。図１７において、中央の大きな直方体１００１が輝度信号の帯域であり、ハッチングを施した小さな直方体１００２が色信号の帯域である。また、点線で示す直方体１００５が、２次元Ｙ／Ｃ分離フィルタにより色信号として抽出される周波数帯域を示している。図１７より、色信号が垂直方向の高周波数成分を有する場合、色信号の帯域である直方体１００２の帯域に属し、直方体１００５からはみ出した色信号の高周波数成分は、輝度信号成分として残留することがわかる。このように、Ｙ／Ｃ分離の際に色信号が輝度信号として残留したものが、ドット妨害となる。
【０００３】
これらの弊害を低減する従来の映像信号処理装置として、まずドット妨害を低減するものとしては、特開平４−１７４８５号公報（以下文献１）に開示されたビデオ信号処理装置がある。このビデオ信号処理装置では、色差信号の飽和度を検出し、検出した飽和度に応じて、輝度信号に対してノッチフィルタを施すことにより、ドット妨害を低減している。
【０００４】
また、クロスカラーを低減するものとしては、特開平６−１０５３２２号公報（以下文献２）に開示された搬送色信号のクロスカラー低減装置がある。このクロスカラー低減装置では、現在のフィールドの搬送色信号と１フィールド前の搬送色信号とが非反転であるかを検出し、その検出結果に従って、現在の搬送色信号を減衰させることにより、クロスカラーを低減している。
【０００５】
また、映像信号のノイズとして、上記ドット妨害，クロスカラーの他に、時間方向にランダムに発生する微小レベルのノイズである時間軸ノイズがある。この時間軸ノイズを除去する従来の方法としては、例えば「ＴＶ画像の多次元信号処理（Multi-dimensional TV signal processing）」（吹抜敬彦著、日刊工業新聞社発行）の190〜191頁に記述されたものがある。
【０００６】
【発明が解決しようとする課題】
上記文献１に開示された装置では、色差信号の飽和度を用いてドット妨害を検出している。しかしながら、ドット妨害は、元の色差信号が水平方向や垂直方向に高周波数成分を有している場合に、２次元または３次元Ｙ／Ｃ分離を行ったときに、色差信号の高周波数成分が輝度信号に残留することにより生じるものであり、必ずしも色差信号の飽和度が高いところでドット妨害が生じるわけではない。このため、文献１に開示された装置では、ドット妨害を低減できない場合があるという問題がある。
【０００７】
また、上記文献２に開示された装置では、現在のフィールドの搬送色信号と１フィールド前の搬送色信号の位相を比較することにより、クロスカラーを検出している。しかしながら、色差信号が復調されたコンポーネント映像信号においては、現在のフィールドの搬送色信号と１フィールド前の搬送色信号の位相を比較することによりクロスカラーを検出するという方法を用いることができない。したがって、この文献２に開示された装置では、Ｙ／Ｃ分離後のコンポーネント映像信号に対して、クロスカラーを低減することができないという問題点がある。
【０００８】
本発明は上記問題点を解決するものであり、Ｙ／Ｃ分離後のコンポーネント映像信号に対して、ドット妨害およびクロスカラーを有効に除去できる映像信号処理方法および映像信号処理装置を提供することを目的とする。
【０００９】
【課題を解決するための手段】
上記課題を解決するために、本発明（請求項１）の映像信号処理装置は、コンポーネント映像信号の輝度信号成分から、後述するノイズ検出器の第１の出力を減ずる第１の減算器と、前記第１の減算器の出力を１フレーム期間蓄積する第１のフレームメモリと、前記輝度信号成分から前記第１のフレームメモリの出力を減ずる第２の減算器と、前記第１の減算器の出力に対して所定の周波数成分を抽出する第１のフィルタ器と、前記第２の減算器の出力に対して所定の周波数成分を抽出する第２のフィルタ器と、ドット妨害，及び時間軸ノイズのいずれのノイズを除去するかの指定を外部から入力するための指定入力手段と、前記第１のフィルタ器、前記第２のフィルタ器、前記第２の減算器の各出力、および前記指定入力手段により入力されたドット妨害，及び時間軸ノイズのいずれのノイズを除去するかの指定とを入力とし、ドット妨害の除去の指定時には、第２のフィルタ器，及び前記第１のフィルタ器の各出力に基づいて第３の出力を決定，出力し、時間軸ノイズの除去の指定時には、第２の減算器の出力に応じて第１の出力を決定，出力するノイズ検出器と、前記ノイズ検出器の第３の出力を前記第１の減算器の出力から減ずる第５の減算器とを備えたものである。
【００２７】
また、本発明（請求項２）の映像信号処理装置は、コンポーネント映像信号の輝度信号成分から、後述するノイズ検出器の第１の出力を減ずる第１の減算器と、前記第１の減算器の出力を１フレーム期間蓄積する第１のフレームメモリと、前記輝度信号成分から前記第１のフレームメモリの出力を減ずる第２の減算器と、前記第１の減算器の出力に対して所定の周波数成分を抽出する第１のフィルタ器と、前記第２の減算器の出力に対して所定の周波数成分を抽出する第２のフィルタ器と、コンポーネント映像信号の色差信号成分から、後述するノイズ検出器の第２の出力を減ずる第３の減算器と、前記第３の減算器の出力を１フレーム期間蓄積する第２のフレームメモリと、前記色差信号成分から前記第２のフレームメモリの出力を減ずる第４の減算器と、ドット妨害，クロスカラー，及び時間軸ノイズのいずれのノイズを除去するかの指定を外部から入力するための指定入力手段と、前記第１のフィルタ器、前記第２のフィルタ器、前記第２の減算器、前記第４の減算器の各出力、および前記指定入力手段により入力されたドット妨害，クロスカラー，及び時間軸ノイズのいずれのノイズを除去するかの指定とを入力とし、ドット妨害の除去の指定時には、第２のフィルタ器，及び前記第１のフィルタ器の各出力に基づいて第３の出力を決定，出力し、クロスカラーの除去の指定時には、前記第１のフィルタ器，前記第２の減算器，及び前記第４の減算器の各出力に基づいて第２の出力を決定，出力し、時間軸ノイズの除去の指定時には、第２の減算器の出力に応じて第１の出力を決定，出力し、第４の減算器の出力に応じて第２の出力を決定，出力するノイズ検出器と、前記ノイズ検出器の第３の出力を前記第１の減算器の出力から減ずる第５の減算器とを備えたものである。
【００２８】
【発明の実施の形態】
以下図面を参照しながら本発明の実施の形態について説明する。
実施の形態１．
図１は本発明の実施の形態１による映像信号処理装置の構成を示すブロック図である。図１において、１０１は水平フィルタ器、１０２は時間フィルタ器、１０３は比較器、１０４はゲイン調整器、１０５は減算器である。
本実施の形態１による映像信号処理装置は、コンポーネント映像信号からドット妨害を除去するものである。以下、本実施の形態１による映像信号処理装置の動作について説明する。
【００２９】
図１の映像信号処理装置には、コンポーネント映像信号の輝度信号データが入力される。入力輝度信号データは、水平フィルタ器１０１でフィルタ処理を施される。ここで、水平フィルタ器１０１の周波数特性は、ＮＴＳＣ信号における搬送波信号の周波数３．５８ＭＨｚを通過域とするバンドパスフィルタである。水平フィルタ器１０１の出力は、時間フィルタ器１０２とゲイン調整器１０４に対して出力される。
【００３０】
時間フィルタ器１０２では、各画素に対して時間方向のフィルタを施す。ここで、時間フィルタ器１０２の周波数特性は、時間周波数１５Ｈｚ（正確には２９．９７／２Ｈｚ）の信号を通過域とするハイパスフィルタである。このフィルタは、例えば、現フレームと直前フレームとの差分値を１／２にする処理を行うことにより実現できる。時間フィルタ器１０２の出力は比較器１０３に対して出力される。
【００３１】
比較器１０３では、時間フィルタ１０２器の出力信号の絶対値と所定のしきい値との比較を行う。ここでは、２種類のしきい値ＴＨ１とＴＨ２（ただしＴＨ１＜ＴＨ２）を用いる。この場合、比較器１０３では、時間フィルタ器１０２の出力信号の絶対値が、ＴＨ１よりも小さいか、またはＴＨ１以上でＴＨ２よりも小さいか、またはＴＨ２以上であるか、のいずれであるかを判定し、その結果をゲイン調整器１０４に対して出力する。
【００３２】
ここで、水平フィルタ器１０１と時間フィルタ器１０２の両者を合わせたフィルタ特性を図２に示す。図２は、ＮＴＳＣ信号を３次元周波数空間で表現したものである。図２において、中央の大きな直方体１００１が輝度信号の帯域であり、ハッチングを施した小さな直方体１００２が色差信号の帯域である。また、点線で示す直方体１００３が、水平フィルタ器１０１と時間フィルタ器１０２の両者を合わせたフィルタの通過帯域となる。図２からわかるように、フィルタの通過帯域１００３は、図１７において、色信号の帯域１００２のうちＹ／Ｃ分離フィルタにより色信号として抽出される周波数帯域１００５からはみ出した帯域を含んでいる。したがって、これらのフィルタの組み合わせにより、フィルタ出力値の絶対値に対して比較器１０３でしきい値判定を行うことにより、２次元Ｙ／Ｃ分離や３次元Ｙ／Ｃ分離で輝度信号に残留する、色差信号の高周波数成分を抽出することができることがわかる。
【００３３】
ゲイン調整器１０４では、水平フィルタ器１０１の出力のゲインを比較器１０３の比較結果に応じて変更し出力する。例えば、比較器１０３において、時間軸フィルタ１０２の出力信号の絶対値が、ＴＨ１よりも小さい場合には、ゲイン０（すなわち出力なし）とし、ＴＨ１以上でＴＨ２よりも小さい場合には、ゲイン１／２とし、ＴＨ２以上である場合には、ゲイン１（すなわち入力をそのまま出力）とする。ゲイン調整器１０４の出力は、減算器１０５に対して出力される。減算器１０５では、入力輝度信号からゲイン調整器１０４の出力を引いた信号を出力する。
【００３４】
以上のように、本実施の形態１による映像信号処理装置では、コンポーネント映像信号の輝度信号成分を入力とし、輝度信号に対して３次元周波数領域で第１の所定の周波数成分を抽出し、その第１の所定の周波数成分の大きさに応じて、輝度信号から第２の所定の周波数成分を除去する。ここで、第１の所定の周波数成分を、輝度信号に対し、３．５８ＭＨｚを通過帯域とする水平バンドパスフィルタによりフィルタを施し、さらに１５Ｈｚを通過帯域とする時間ハイパスフィルタによりフィルタを施すことによって抽出することにより、ドット妨害が発生する画素を特定することができる。また第２の所定の周波数成分を、輝度信号に対し、３．５８ＭＨｚを通過帯域とする水平バンドパスフィルタによりフィルタを施すことによって得ることにより、ドット妨害を大きく低減することができる。また、第２の所定の周波数成分を輝度信号から減ずる際に、第２の所定の周波数成分のゲインを、第１の所定の周波数成分値に応じて切り替えることにより、ドット妨害が発生していない領域では入力輝度信号に対しては処理を施さないため、映像のボケを最小限に抑えることができる。このように、本発明の映像信号処理方法および映像信号処理装置を用いることにより、簡易な構成によって、コンポーネント映像信号の輝度信号成分に重畳したドット妨害を除去することができる。
【００３５】
なお、本実施の形態１においては、輝度信号から水平フィルタ器１０１の出力をゲイン調整器１０４においてゲイン調整したものを減じていたが、これは時間フィルタ器１０２の出力をゲイン調整したものを減じてもよい。図３は、輝度信号から時間フィルタ器１０２の出力をゲイン調整器１０４においてゲイン調整したものを減じる構成とした、本実施の形態１による映像信号処理装置の変形例の構成を示すブロック図である。図３に示す変形例の動作は、第２の所定の周波数成分を、輝度信号に対し、３．５８ＭＨｚを通過帯域とする水平バンドパスフィルタによりフィルタを施し、さらに１５Ｈｚを通過帯域とする時間ハイパスフィルタによりフィルタを施すことによって得る点を除いて、図１の映像信号処理装置の動作と全く同じであるので説明を省略する。このような図３に示す変形例によっても、図１の映像信号処理装置と同様、簡易な構成によって、コンポーネント映像信号の輝度信号成分に重畳したドット妨害を除去することができる。
【００３６】
また、本実施の形態１においては、ゲイン調整器１０４において、３段階（０、１／２、１）でゲイン調整する場合について説明したが、この段階数、ゲイン値は他の値であってもよい。
また本実施の形態１においては、水平フィルタ器１０１は３．５８ＭＨｚを通過帯域とするフィルタであるとして説明したが、これは３．５８ＭＨｚが通過帯域であれば、３．５８ＭＨｚが完全に通過帯域の中心周波数である必要はない。
【００３７】
実施の形態２．
図４は本発明の実施の形態２による映像信号処理装置の構成を示すブロック図である。図４において、４０１〜４０３はフレームメモリ、４０４は水平フィルタ、４０５はクロスカラー検出器、４０６はゲイン調整器、４０７〜４１０は減算器である。
本実施の形態２による映像信号処理装置は、コンポーネント映像信号からクロスカラーを除去するものである。
【００３８】
ＮＴＳＣ信号において、色信号は輝度信号に多重化されている。この際には、色信号によりカラーサブキャリア（周波数３．５８ＭＨｚ）を変調した信号が多重化されている。３．５８ＭＨｚという周波数は、水平走査周波数（１５．７５ｋＨｚ）の２２７．５倍となる値である。したがって、カラーサブキャリアは、同一フィールド内の隣り合う走査線間では、半周期ずれている。その様子を図１８に示す。
【００３９】
図１８は、連続するフィールドおよびフィールド内に存在する走査線を時間−垂直面で見た様子を示した図である。ここで、丸印が走査線を示している。白丸で示された走査線は、カラーサブキャリアの振幅が正の最大値を取ることを示し、黒丸で示された走査線は、カラーサブキャリアの振幅が負の最大値を取ることを示している。図１８からわかるように、画面上の同じ位置の画素に注目すると、２フィールド離れている場合にはカラーサブキャリアは逆相となり、４フィールド離れている場合にはカラーサブキャリアは同相となる。
【００４０】
クロスカラーは、Ｙ／Ｃ分離の際に、本来輝度信号である成分が、色信号として分離されることにより生じるノイズである。ここで、クロスカラーとして検知される元の輝度信号成分が、時間方向にほぼ一定の値を取るとする。この場合、Ｙ／Ｃ分離によりコンポーネント映像信号になったときのクロスカラー部の色信号は、２フィールド離れている場合には、画面の同じ位置の画素間の画素値の差分値は大きな値（逆相）となり、４フィールド離れている場合には、画面の同じ位置の画素間の画素値の差分値は小さな値（同相）となる。ここで画素値は、コンポーネント映像信号をディジタル表現した場合の値とする。
【００４１】
本実施の形態２による映像信号処理装置は、クロスカラーがコンポーネント映像信号では上述のような性質を持つことに着目し、クロスカラーを除去するものである。
【００４２】
以下、本実施の形態２による映像信号処理装置の動作について説明する。
コンポーネント映像信号の色差信号データは、フレームメモリ４０１、減算器４０７、４０８、４０９に入力される。フレームメモリ４０１では、入力された色差信号データを１フレーム分遅延させて出力する。フレームメモリ４０１の出力は、フレームメモリ４０２、および減算器４０７に入力される。減算器４０７には、色差信号データとフレームメモリ４０１の出力が入力され、色差信号データからフレームメモリ４０１の出力が減算されたものが出力される。すなわち、減算器４０７からは、現フレームの色差信号データと１フレーム前の色差信号データとの差分値が出力されることになる。減算器４０７の出力は、クロスカラー検出器４０５、ゲイン調整器４０６に入力される。
【００４３】
フレームメモリ４０２では、入力された色差信号データをさらに１フレーム分遅延させて出力する。フレームメモリ４０２の出力は、減算器４０８に入力される。減算器４０８には、色差信号データとフレームメモリ４０２の出力とが入力され、色差信号データからフレームメモリ４０２の出力が減算されたものが出力される。すなわち、減算器４０８からは、現フレームの色差信号データと２フレーム前の色差信号データとの差分値が出力されることになる。減算器４０８の出力は、クロスカラー検出器４０５に入力される。
【００４４】
一方、コンポーネント映像信号の輝度信号データは、フレームメモリ４０３、水平フィルタ４０４、および減算器４１０に入力される。フレームメモリ４０３では、入力された輝度信号データを１フレーム分遅延させて出力する。フレームメモリ４０３の出力は、減算器４１０に入力される。減算器４１０には、輝度信号データとフレームメモリ４１０の出力が入力され、輝度信号データからフレームメモリ４１０の出力が減算されたものが出力される。すなわち、減算器４１０からは、現フレームの輝度信号データと１フレーム前の輝度信号データとの差分値が出力されることになる。減算器４１０の出力は、クロスカラー検出器４０５に入力される。
【００４５】
水平フィルタ４０４に入力された輝度信号データは、３．５８ＭＨｚを通過帯域とするバンドパスフィルタを施されて出力される。水平フィルタ４０４の出力は、クロスカラー検出器４０５に入力される。
【００４６】
クロスカラー検出器４０５には、減算器４０７、４０８、４１０の出力、水平フィルタ４０４の出力が入力される。クロスカラー検出器４０５は、水平フィルタ４０４の出力の絶対値が第一の所定のしきい値以上であり、減算器４１０の出力の絶対値が第２の所定のしきい値以下であり、減算器４０７の出力の絶対値が第３の所定のしきい値以上であり、減算器４０８の出力の絶対値が第４の所定のしきい値以下であればクロスカラーを検出したと判断する。すなわち、輝度信号成分が３．５８ＭＨｚを有しており、輝度信号成分に時間的変化があまりなく、色差信号成分に時間的変化があり、かつその時間的変化が２フレーム周期で変化している場合には、クロスカラーであると判断する。クロスカラー検出器４０５は、検出結果をゲイン調整器４０６に対して出力する。
【００４７】
ゲイン調整器４０６は、クロスカラー検出器４０５の検出結果と減算器４０７の出力を入力とし、クロスカラー検出器４０５の検出結果に応じて、減算器４０７の出力のゲインを変更して出力する。例えば、クロスカラー検出器４０５がクロスカラーを検出した場合、減算器４０７の出力を１／２にして出力する。また、クロスカラー検出器４０５がクロスカラーを検出しなかった場合、減算器４０７の出力のゲインを０にして出力する（すなわち何も出力しない）。ゲイン調整器４０６の出力は減算器４０９に対して出力される。
【００４８】
減算器４０９は、色差信号データとゲイン調整器４０６の出力を入力とし、色差信号データからゲイン調整器４０６の出力を減算して出力する。すなわち、クロスカラー検出器４０５がクロスカラーを検出した場合、現フレームの色差信号データから、現フレームの色差信号データと１フレーム前の色差信号データの差分値の１／２が減算されることになる。これは、現フレームの色差信号データと１フレーム前の色差信号データとの平均値を求めているのと同じである。また、クロスカラー検出器４０５がクロスカラーを検出しなかった場合、色差信号データがそのまま出力されることになる。
【００４９】
以上のように、本実施の形態２による映像信号処理装置では、コンポーネント映像信号の輝度信号データと色差信号データとを入力とし、輝度信号データに対しては、水平方向の所定の周波数成分を抽出し、また現フレームと１フレーム前との差分値を求める。また色差信号データに対しては、現フレームと１フレーム前との差分値、および現フレームと２フレーム前との差分値を求める。そして、輝度信号データの水平方向の所定の周波数成分値が第１の所定値以上であり、かつ輝度信号データの現フレームと１フレーム前との差分値の絶対値が第２の所定値以下であり、かつ色差信号データの現フレームと１フレーム前との差分値の絶対値が第３の所定値以上であり、かつ色差信号データの現フレームと２フレーム前との差分値の絶対値が第４の所定値以下であれば、色差信号データから色差信号データの現フレームと１フレーム前との差分値の１／２を減ずる、あるいは、色差信号データを現フレームと１フレーム前との平均値で置き換える。ここで所定の周波数成分を、輝度信号に対し、３．５８ＭＨｚを通過帯域とする水平バンドパスフィルタによりフィルタを施すことによって得ることにより、クロスカラーが発生する画素を特定することができる。すなわち、輝度信号成分が３．５８ＭＨｚを有しており、輝度信号成分に時間的変化があまりなく、色差信号成分に時間的変化があり、かつその時間的変化が２フレーム周期で変化している場合には、クロスカラーであると判断する。そして、クロスカラーが検出された場合には、色差信号データの現フレームと１フレーム前のデータとの平均値で置き換えることで、そのクロスカラーを除去する。このように、本発明の映像信号処理方法および映像信号処理装置を用いることにより、簡易な構成によって、コンポーネント映像信号の色差信号成分に重畳したクロスカラーを除去することができる。
【００５０】
なお、本実施の形態では、色差信号データに対して、２フレーム分のフレームメモリ（フレームメモリ４０１と４０２）とを用いる場合について説明したが、これは１フレーム分のフレームメモリで構成することもできる。図５は、１フレーム分のフレームメモリを備えた、本実施の形態２による映像信号処理装置の変形例の構成を示すブロック図である。図５は図４の構成から、フレームメモリ４０２を削除した構成となっている。それに伴い、クロスカラー検出器４０５には、色差信号データに対する現フレームと２フレーム前との差分データは入力されなくなる。また、クロスカラー検出器４０５におけるクロスカラー検出は、色差信号データに対する現フレームと２フレーム前との差分データに関する条件判断が除去された検出方法となる。この場合、クロスカラー検出器４０５では、水平フィルタ４０４の出力の絶対値が第１の所定のしきい値以上であり、減算器４１０の出力の絶対値が第２の所定のしきい値以下であり、減算器４０７の出力の絶対値が第３の所定のしきい値以上であればクロスカラーを検出したと判断する。すなわち、輝度信号成分が３．５８ＭＨｚを有しており、輝度信号成分に時間的変化があまりなく、色差信号成分に時間的変化がある場合には、クロスカラーであると判断する。したがって、図４の構成と比較してクロスカラー検出精度は若干下がるが、フレームメモリを１フレーム分で構成することができ、ハードウェアコストの削減を図ることができる。
【００５１】
実施の形態３．
本実施の形態３による映像信号処理装置は、コンポーネント映像信号からドット妨害、クロスカラー、時間軸ノイズの３つのノイズの任意の組み合わせを同時に除去するものである。ここで時間軸ノイズとは、時間方向にランダムに発生する微小レベルのノイズのことを示す。
【００５２】
まず、３つのノイズのどのノイズの組み合わせを除去するかについて、組み合わせを指定する方法例を図１９を用いて説明する。図１９は、映像信号処理手段１００１、入力受付手段１００２、表示手段１００３からなる映像信号処理装置の構成を示すブロック図である。
【００５３】
本実施の形態３による映像信号処理装置においては、ユーザがドット妨害、クロスカラー、時間軸ノイズの３つのノイズの、いずれのノイズを除去するかを指定する。表示手段１００３は、ノイズの種類、およびそのノイズを除去するか否かを示す表示を行う。この表示例を図２０に示す。図２０においては、ドット妨害は除去する、クロスカラーは除去しない、時間軸ノイズは除去する、という組み合わせを指定した場合を示している。ユーザは、リモコン等を用いて、いずれのノイズを除去するかをこの表示を用いて指定する。ユーザから指定された組み合わせは、入力手段１００２を通じて、表示手段１００３に表示される。
ユーザにより組み合わせが決定されると、その組み合わせは入力手段１００２を通じて、映像信号処理手段１００１に入力される。
【００５４】
次に、映像信号処理手段１００１の詳細な構成について説明する。図６は、本実施の形態３による映像信号処理装置の映像信号処理手段１００１の詳細な構成例を示すブロック図である。図６において、６０１，６０２は水平フィルタ、６０３，６０４はフレームメモリ、６０５はノイズ検出器、６０６〜６１０は減算器である。
【００５５】
コンポーネント映像信号の輝度信号データは、減算器６０６，６０８に入力される。減算器６０８は、輝度信号データとノイズ検出器６０５（動作内容は後述）の出力Ａとを入力とし、輝度信号データからノイズ検出器６０５の出力Ａを減じて出力する。減算器６０８の出力は、減算器６１０、水平フィルタ６０２、およびフレームメモリ６０３に入力される。
フレームメモリ６０３は、減算器６０８の出力を入力とし、入力された信号を１フレーム期間だけ遅延させて出力する。フレームメモリ６０３の出力は減算器６０６に対して出力される。
【００５６】
減算器６０６は、輝度信号データとフレームメモリ６０３の出力とを入力とし、輝度信号データからフレームメモリ６０３の出力を減じて出力する。この減算結果は、水平フィルタ６０１とノイズ検出器６０５に対して出力される。
水平フィルタ６０１は、減算器６０６の出力に対して、３．５８ＭＨｚを通過帯域とするバンドパスフィルタを施して出力する。水平フィルタ６０１の出力は、ノイズ検出器６０５に入力される。
【００５７】
水平フィルタ６０２は、減算器６０８の出力に対して、３．５８ＭＨｚを通過帯域とするバンドパスフィルタを施して出力する。水平フィルタ６０２の出力は、ノイズ検出器６０５に入力される。
一方、コンポーネント映像信号の色差信号データは減算器６０７，６０９に入力される。
【００５８】
減算器６０９は、色差信号データとノイズ検出器６０５（動作内容は後述）の出力Ｃとを入力とし、色差信号データからノイズ検出器６０５の出力を減じて出力する。減算器６０９の出力は、フレームメモリ６０４に入力される。
フレームメモリ６０４は、減算器６０９の出力を入力とし、入力された信号を１フレーム期間だけ遅延させて出力する。フレームメモリ６０４の出力は減算器６０７に対して出力される。
【００５９】
減算器６０７は、色差信号データとフレームメモリ６０４の出力とを入力とし、色差信号データからフレームメモリ６０４の出力を減じて出力する。この減算結果は、ノイズ検出器６０５に対して出力される。
ノイズ検出器６０５には、水平フィルタ６０１，６０２の出力、および減算器６０６，６０７の出力が入力される。また、ノイズ検出器６０５には、外部からドット妨害、クロスカラー、時間軸ノイズ、のいずれか、またはこれらの任意の組み合わせを除去する指定が入力される。
【００６０】
ノイズ検出器６０５の動作として、まず出力Ａ、Ｂを決定する方法について図７を用いて説明する。図７は、出力Ａ、Ｂを決定する際の、ノイズ検出器６０５の動作を示すフローチャートである。ここで出力Ａ、Ｂは共に輝度信号データからノイズ（すなわちドット妨害または時間軸ノイズ）を除去するために用いられ、出力Ａは時間軸ノイズの除去のため、出力Ｂはドット妨害の除去のために用いられる。まず、Ｓ７０１でドット妨害除去が指定されているかどうかを判定する。この判定が“Ｙｅｓ”の場合には、Ｓ７０２へ、“Ｎｏ”の場合にはＳ７０４へ進む。Ｓ７０２では、水平フィルタ６０１の出力の絶対値が第一の所定値以上であるかどうかを判定する。この判定が“Ｙｅｓ”の場合には、Ｓ７０５へ、“Ｎｏ”の場合にはＳ７０３へ進む。Ｓ７０５では、出力Ａを０とし、出力Ｂを水平フィルタ６０２の出力として終了する。Ｓ７０３では、水平フィルタ６０１の出力の絶対値が第２の所定値以上であるかどうかを判定する。ここで第２の所定値は、第１の所定値よりも小さい値とする。この判定が“Ｙｅｓ”の場合には、Ｓ７０６へ、“Ｎｏ”の場合にはＳ７０４へ進む。Ｓ７０６では、出力Ａを０とし、出力Ｂを水平フィルタ６０２の出力の１／２として終了する。Ｓ７０４で時間軸ノイズの除去が指定されているかどうかを判定する。この判定が“Ｙｅｓ”の場合には、Ｓ７０７へ、“Ｎｏ”の場合にはＳ７０８へ進む。Ｓ７０７では、出力Ａを減算器６０６の出力に非線形処理を施した値とし、出力Ｂを０とする。ここで、Ｓ７０７において用いられる非線形処理の入出力特性例を図９に示す。またＳ７０８では、出力Ａ、Ｂともに０とする。
【００６１】
ノイズ検出器６０５の動作として、次に出力Ｃを決定する方法について図８を用いて説明する。図８は、出力Ｃを決定する際の、ノイズ検出器６０５の動作を示すフローチャートである。ここで出力Ｃは色差信号データのノイズ（すなわちクロスカラーまたは時間軸ノイズ）を除去するために用いられる。
【００６２】
まず、Ｓ８０２で、時間軸ノイズの除去が指定されているかどうかを判定する。この判定が“Ｙｅｓ”の場合には、Ｓ８０３へ、“Ｎｏ”の場合にはＳ８０４へ進む。Ｓ８０３では、減算器６０７の出力の絶対値が第３の所定値以下であるかどうかを判定する。この判定が“Ｙｅｓ”の場合には、Ｓ８０８へ、“Ｎｏ”の場合にはＳ８０４へ進む。Ｓ８０８では、出力Ｃを減算器６０７の出力に非線形処理を施した値とする。ここで、Ｓ８０８において用いられる非線形処理の入出力特性例を図９に示す。Ｓ８０４では、クロスカラー除去が指定されているかどうかを判定する。この判定が“Ｙｅｓ”の場合には、Ｓ８０５へ、“Ｎｏ”の場合にはＳ８０７へ進む。Ｓ８０５では、水平フィルタ６０２の出力の絶対値が第４の所定値以上であり、かつ減算器６０６の出力が第五の所定値以下であるかを判定する。この判定が“Ｙｅｓ”の場合には、Ｓ８０６へ、“Ｎｏ”の場合にはＳ８０７へ進む。Ｓ８０６では、出力Ｃを減算器６０７の出力の１／２にする。またＳ８０７では、出力Ｃを０とする。
【００６３】
ノイズ検出器６０５の出力のうち、出力Ａは減算器６０８、出力Ｂは減算器６１０へ、出力Ｃは減算器６０９へと入力される。
【００６４】
減算器６１０では、減算器６０８の出力とノイズ検出器６０５の出力Ｂとが入力され、減算器６０８の出力からノイズ検出器６０５の出力Ｂが減算されて出力される。この出力が出力輝度信号データとなる。また減算器６０９の出力は出力色差信号データとなる。
【００６５】
ノイズ検出器６０５は、上述のように出力Ａ，出力Ｂ，および出力Ｃを出力し、時間軸ノイズの除去が指定されている場合には、減算器６０８の出力および減算器６０９の出力は、時間方向のノイズが除去されたものとなる。また、ドット妨害の除去が指定されている場合には、減算器６１０の出力はドット妨害が除去されたものとなる。また、クロスカラーの除去が指定されている場合には、減算器６０９の出力は、クロスカラーが除去されたものとなる。
【００６６】
以上のように、本実施の形態３による映像信号処理装置では、コンポーネント映像信号の輝度信号データに対する水平フィルタ出力成分、フレーム間差分データ、フレーム間差分データの水平フィルタ出力成分、及び、色差信号データのフレーム間差分データを用いて、ドット妨害、クロスカラー、時間軸ノイズの中の任意のノイズを検出、除去する。
【００６７】
さらに詳しくは、本実施の形態３による映像信号処理装置では、コンポーネント映像信号の輝度信号成分と色差信号成分とを入力とし、輝度信号に対して３次元周波数領域で第１の所定の周波数成分を抽出する。そして、ドット妨害の除去が指定されている場合には、その第１の所定の周波数成分の大きさに応じて、輝度信号成分から第２の所定の周波数成分を除去する。ここで、第１の所定の周波数成分を、輝度信号に対し、３．５８ＭＨｚを通過帯域とする水平バンドパスフィルタによりフィルタを施し、さらに１５Ｈｚを通過帯域とする時間ハイパスフィルタによりフィルタを施すことによって抽出することにより、ドット妨害が発生する画素を特定することができる。また第２の所定の周波数成分を、輝度信号に対し、３．５８ＭＨｚを通過帯域とする水平バンドパスフィルタによりフィルタを施すことによって得ることにより、ドット妨害を大きく低減することができる。またドット妨害の除去が指定されているが、第１の所定の周波数成分の大きさが所定値よりも小さい場合や、ドット妨害の除去が指定されておらず、かつ時間軸ノイズの除去が指定されている場合には、時間方向に変動する微小レベル成分を除去する。
【００６８】
ここでドット妨害の除去において、第２の所定の周波数成分を輝度信号から減ずる際に、第２の所定の周波数成分のゲインを、第１の所定の周波数成分値に応じて切り替えることにより、ドット妨害が発生していない領域では入力輝度信号に対しては処理を施さないため、映像のボケを最小限に抑えることができる。
【００６９】
また、色差信号に対しては、時間軸ノイズの除去が指定されている場合には、時間方向に変動する微小レベル成分を除去する。またクロスカラーの除去が指定されている場合には、色差信号データの現フレームと１フレーム前との差分値の絶対値が第３の所定値以上であり、輝度信号データの水平方向の所定の周波数成分値が第４の所定値以上であり、かつ輝度信号データの現フレームと１フレーム前との差分値の絶対値が第５の所定値以下であれば、クロスカラーが発生していると判断し、色差信号データから色差信号データの現フレームと１フレーム前との差分値の１／２を減ずる、あるいは、色差信号データを現フレームと１フレーム前との平均値で置き換える。ここで輝度信号データに対する所定の周波数成分を、輝度信号に対し、３．５８ＭＨｚを通過帯域とする水平バンドパスフィルタによりフィルタを施すことによって得ることにより、クロスカラーが発生する画素を特定することができる。すなわち、輝度信号成分が３．５８ＭＨｚを有しており、輝度信号成分に時間的変化があまりなく、色差信号成分に時間的変化がある場合には、クロスカラーであると判断する。そして、クロスカラーが検出された場合には、色差信号データの現フレームと１フレーム前のデータとの平均値で置き換えることで、そのクロスカラーを除去する。
【００７０】
したがって、本実施の形態３による映像信号処理装置によれば、輝度信号データ、色差信号データそれぞれに対して１フレーム分のフレームメモリを備えた簡単なハードウェア構成で、コンポーネント映像信号からドット妨害、クロスカラー、時間軸ノイズの中の任意のノイズを除去することができ、これらのノイズの除去を独立のハードウェアを用いて行う構成とするのに比してハードウェア規模の削減、ハードウェアコストの削減を図ることができる。
【００７１】
なお本実施の形態では、水平フィルタ６０２を減算器６０８の後段に配置する構成について説明したが、これは前段に配置しても良い。図１０は、水平フィルタ６０２を減算器６０８の前段に配置した、本実施の形態３による映像信号処理装置の変形例の構成を示すブロック図である。図１０に示す変形例の動作は、水平フィルタ６０２が時間軸ノイズが除去される前の輝度信号データに対してフィルタを施す点を除いて、図６の映像信号処理装置の動作と全く同じであるので説明を省略する。このような図１０に示す変形例によっても、図６の映像信号処理装置と同様、簡易なハードウェア構成で、コンポーネント映像信号からドット妨害、クロスカラー、時間軸ノイズの中の任意のノイズを除去することができる。
【００７２】
また本実施の形態では、ドット妨害、クロスカラー、時間方向ノイズの３種類のノイズを任意の組み合わせで除去する場合について説明したが、これは２種類のノイズを任意の組み合わせで除去しても良い。例えば、図６の映像信号処理装置と同様の構成で、ノイズ検出器６０５が、図７，図１１に示すフローに従って処理を行うものとすれば、ドット妨害と時間方向ノイズの任意の組み合わせを除去できる映像信号処理装置を実現できる。この変形例においては、出力Ｃを決定する際のノイズ検出器６０５の動作が上記実施の形態３による映像信号処理装置と異なっている。即ち、まず、Ｓ８０２で、時間軸ノイズの除去が指定されているかどうかを判定する。この判定が“Ｙｅｓ”の場合には、Ｓ８０３へ、“Ｎｏ”の場合にはＳ８０７へ進む。Ｓ８０３では、減算器６０７の出力の絶対値が第３の所定値以下であるかどうかを判定する。この判定が“Ｙｅｓ”の場合には、Ｓ８０８へ、“Ｎｏ”の場合にはＳ８０７へ進む。Ｓ８０８では、出力Ｃを減算器６０７の出力に非線形処理を施した値とする。またＳ８０７では、出力Ｃを０とする。その他の動作は上記実施の形態３による映像信号処理装置の動作と同じである。このような変形例によれば、簡易なハードウェア構成で、コンポーネント映像信号からドット妨害と時間方向ノイズの任意の組み合わせを除去することができる。
【００７３】
また、図１２は、クロスカラーと時間方向ノイズの任意の組み合わせを除去できる、本実施の形態３による映像信号処理装置の他の変形例を示す図である。この変形例では、装置の構成を図１２に示す構成とし、ノイズ検出器６０５が、図１３，図８に示すフローに従って処理を行うものとしている。ノイズ検出器６０５は、図１３に示すフローに従って出力Ａを決定し、図８に示すフローに従って出力Ｃを決定する。即ち、図１３に示すフローにおいて、まず、Ｓ７０４で時間軸ノイズの除去が指定されているかどうかを判定する。この判定が“Ｙｅｓ”の場合には、Ｓ７０７へ、“Ｎｏ”の場合にはＳ７０８へ進む。Ｓ７０７では、出力Ａを減算器６０６の出力に非線形処理を施した値とし、Ｓ７０８では、出力Ａを０とする。出力Ｃを決定するフローは上記実施の形態３による映像信号処理装置において出力Ｃを決定するフローと同じであるので説明を省略する。このような変形例によれば、簡易なハードウェア構成で、コンポーネント映像信号からクロスカラーと時間方向ノイズの任意の組み合わせを除去することができる。
【００７４】
また、図１４は、ドット妨害とクロスカラーの任意の組み合わせを除去できる、本実施の形態３による映像信号処理装置の他の変形例を示す図である。この変形例では、装置の構成を図１４に示す構成とし、ノイズ検出器６０５が、図１５，図１６に示すフローに従って処理を行うものとしている。ノイズ検出器６０５は、図１５に示すフローに従って出力Ｂを決定し、図１６に示すフローに従って出力Ｃを決定する。即ち、図１５に示すフローにおいて、まず、Ｓ７０１でドット妨害除去が指定されているかどうかを判定する。この判定が“Ｙｅｓ”の場合には、Ｓ７０２へ、“Ｎｏ”の場合にはＳ７０８へ進む。Ｓ７０２では、水平フィルタ６０１の出力の絶対値が第１の所定値以上であるかどうかを判定する。この判定が“Ｙｅｓ”の場合には、Ｓ７０５へ、“Ｎｏ”の場合にはＳ７０３へ進む。Ｓ７０５では、出力Ｂを水平フィルタ６０２の出力として終了する。Ｓ７０３では、水平フィルタ６０１の出力の絶対値が第２の所定値以上であるかどうかを判定する。ここで第2の所定値は、第1の所定値よりも小さい値とする。この判定が“Ｙｅｓ”の場合には、Ｓ７０６へ、“Ｎｏ”の場合にはＳ７０８へ進む。Ｓ７０６では、出力Ｂを水平フィルタ６０２の出力の１／２として終了する。Ｓ７０８では、出力Ｂを０とする。また、図１６に示すフローにおいて、まず、Ｓ８０４でクロスカラー除去が指定されているかどうかを判定する。この判定が“Ｙｅｓ”の場合には、Ｓ８０５へ、“Ｎｏ”の場合にはＳ８０７へ進む。Ｓ８０５では、水平フィルタ６０２の出力の絶対値が第４の所定値以上であり、かつ減算器６０６の出力が第５の所定値以下であるかを判定する。この判定が“Ｙｅｓ”の場合には、Ｓ８０６へ、“Ｎｏ”の場合にはＳ８０７へ進む。Ｓ８０６では、出力Ｃを減算器６０７の出力の１／２にする。Ｓ８０７では、出力Ｃを０とする。このような変形例によれば、簡易なハードウェア構成で、コンポーネント映像信号からドット妨害とクロスカラーの任意の組み合わせを除去することができる。
【００７５】
また、上記実施の形態３では、ドット妨害の除去が指定されている場合の、ノイズ検出器６０５における処理として、図７に示すように、水平フィルタ６０１の出力の絶対値と第１および第２のしきい値とを比較して出力Ｂを決定したが、これは一つの所定値のみと比較しても良いし、３つ以上のしきい値と比較しても良い。
【００７６】
また、上記実施の形態３では、輝度信号成分に対しては、ドット妨害を時間軸ノイズに優先して除去する場合について、色差信号成分に対しては、時間軸ノイズをクロスカラーに優先して除去する場合について説明したが、これらの優先度は逆であっても良い。
【００７７】
また、上記実施の形態３では、色差信号成分に対するクロスカラー除去においては、減算器６０７の出力の絶対値が第３の所定値以上でなければクロスカラーとして検出しない場合について説明したが、この条件はなくてもよい。
【００７８】
【発明の効果】
以上のように本発明（請求項１）の映像信号処理装置によれば、コンポーネント映像信号の輝度信号成分から、後述するノイズ検出器の第１の出力を減ずる第１の減算器と、前記第１の減算器の出力を１フレーム期間蓄積する第１のフレームメモリと、前記輝度信号成分から前記第１のフレームメモリの出力を減ずる第２の減算器と、前記第１の減算器の出力に対して所定の周波数成分を抽出する第１のフィルタ器と、前記第２の減算器の出力に対して所定の周波数成分を抽出する第２のフィルタ器と、ドット妨害，及び時間軸ノイズのいずれのノイズを除去するかの指定を外部から入力するための指定入力手段と、前記第１のフィルタ器、前記第２のフィルタ器、前記第２の減算器の各出力、および前記指定入力手段により入力されたドット妨害，及び時間軸ノイズのいずれのノイズを除去するかの指定とを入力とし、ドット妨害の除去の指定時には、第２のフィルタ器，及び前記第１のフィルタ器の各出力に基づいて第３の出力を決定，出力し、時間軸ノイズの除去の指定時には、第２の減算器の出力に応じて第１の出力を決定，出力するノイズ検出器と、前記ノイズ検出器の第３の出力を前記第１の減算器の出力から減ずる第５の減算器とを備えた構成としたから、簡単な構成で、ドット妨害、時間軸ノイズのいずれかのノイズ、またはその両方を有効に除去できる効果がある。
【００９６】
また、本発明（請求項２）の映像信号処理装置によれば、コンポーネント映像信号の輝度信号成分から、後述するノイズ検出器の第１の出力を減ずる第１の減算器と、前記第１の減算器の出力を１フレーム期間蓄積する第１のフレームメモリと、前記輝度信号成分から前記第１のフレームメモリの出力を減ずる第２の減算器と、前記第１の減算器の出力に対して所定の周波数成分を抽出する第１のフィルタ器と、前記第２の減算器の出力に対して所定の周波数成分を抽出する第２のフィルタ器と、コンポーネント映像信号の色差信号成分から、後述するノイズ検出器の第２の出力を減ずる第三の減算器と、前記第３の減算器の出力を１フレーム期間蓄積する第２のフレームメモリと、前記色差信号成分から前記第２のフレームメモリの出力を減ずる第４の減算器と、ドット妨害，クロスカラー，及び時間軸ノイズのいずれのノイズを除去するかの指定を外部から入力するための指定入力手段と、前記第１のフィルタ器、前記第２のフィルタ器、前記第２の減算器、前記第４の減算器の各出力、および前記指定入力手段により入力されたドット妨害，クロスカラー，及び時間軸ノイズのいずれのノイズを除去するかの指定とを入力とし、ドット妨害の除去の指定時には、第２のフィルタ器，及び前記第１のフィルタ器の各出力に基づいて第３の出力を決定，出力し、クロスカラーの除去の指定時には、前記第１のフィルタ器，前記第１の減算器，及び前記第４の減算器の各出力に基づいて第２の出力を決定，出力し、時間軸ノイズの除去の指定時には、第２の減算器の出力に応じて第１の出力を決定，出力するとともに、第４の減算器の出力に応じて第２の出力を決定，出力するノイズ検出器と、前記ノイズ検出器の第３の出力を前記第１の減算器の出力から減ずる第５の減算器とを備えた構成としたから、簡単な構成で、ドット妨害、クロスカラー、時間軸ノイズのいずれかのノイズ、またはその任意の組み合わせを有効に除去できる効果がある。
【図面の簡単な説明】
【図１】本発明の実施の形態１による映像信号処理装置の構成を示すブロック図
【図２】本発明の実施の形態１による映像信号処理装置の水平フィルタ器と時間フィルタ器の両者を合わせたフィルタ特性を示す模式図
【図３】本発明の実施の形態１による映像信号処理装置の変形例の構成を示すブロック図
【図４】本発明の実施の形態２による映像信号処理装置の構成を示すブロック図
【図５】本発明の実施の形態２による映像信号処理装置の変形例の構成を示すブロック図
【図６】本発明の実施の形態３による映像信号処理装置の映像信号処理手段の構成を示すブロック図
【図７】本発明の実施の形態３による映像信号処理装置の動作を説明するためのフローチャート図
【図８】本発明の実施の形態３による映像信号処理装置の動作を説明するためのフローチャート図
【図９】本発明の実施の形態３による映像信号処理装置における時間軸ノイズ除去に用いられる非線形処理の入出力特性例を示す模式図
【図１０】本発明の実施の形態３による映像信号処理装置の変形例の構成を示すブロック図
【図１１】本発明の実施の形態３による映像信号処理装置の動作を説明するためのフローチャート図
【図１２】本発明の実施の形態３による映像信号処理装置の他の変形例の構成を示すブロック図
【図１３】本発明の実施の形態３による映像信号処理装置の動作を説明するためのフローチャート図
【図１４】本発明の実施の形態３による映像信号処理装置の更に他の変形例の構成を示すブロック図
【図１５】本発明の実施の形態３による映像信号処理装置の動作を説明するためのフローチャート図
【図１６】本発明の実施の形態３による映像信号処理装置の動作を説明するためのフローチャート図
【図１７】２次元Ｙ／Ｃ分離の３次元周波数特性を示す模式図
【図１８】連続するフィールドおよびフィールド内に存在する走査線を時間−垂直面で見た様子を示す図
【図１９】本発明の実施の形態３による映像信号処理装置の構成を示すブロック図
【図２０】本発明の実施の形態３による映像信号処理装置の表示手段による表示例を示す図
【符号の説明】
１０１  水平フィルタ器
１０２  時間フィルタ器
１０３  比較器
１０４  ゲイン調整器
１０５  減算器
４０１，４０２，４０３  フレームメモリ
４０４  水平フィルタ
４０５  クロスカラー検出器
４０６  ゲイン調整器
４０７，４０８，４０９，４１０  減算器
６０１，６０２  水平フィルタ
６０３，６０４  フレームメモリ
６０５  ノイズ検出器
６０６，６０７，６０８，６０９，６１０  減算器
１００１  映像信号処理手段
１００２  入力受付手段
１００３  表示手段
【図１】
0003971203.tif 000002
【図２】
0003971203.tif 000003
【図３】
0003971203.tif 000004
【図４】
0003971203.tif 000005
【図５】
0003971203.tif 000006
【図６】
0003971203.tif 000007
【図７】
0003971203.tif 000008
【図８】
0003971203.tif 000009
【図９】
0003971203.tif 000010
【図１０】
0003971203.tif 000011
【図１１】
0003971203.tif 000012
【図１２】
0003971203.tif 000013
【図１３】
0003971203.tif 000014
【図１４】
0003971203.tif 000015
【図１５】
0003971203.tif 000016
【図１６】
0003971203.tif 000017
【図１７】
0003971203.tif 000018
【図１８】
0003971203.tif 000019
【図１９】
0003971203.tif 000020
【図２０】
0003971203.tif 000021